(57)【要約】【課題】音声信号を出力する携帯端末等の装置を収納することができ、また、水滴が容易に流れ落ちて防水機能を十分に確保し、浴室内に設置することを可能にするアクチュエータスピーカを提供する。【解決手段】アクチュエータスピーカ１の筐体は、フロントパネル１０と、フロントパネル１０の背後に配置される背面部と、フロントパネル１０上端と背面部上端との間に配置される上面部１１と、フロントパネル１０下端と背面部下端との間に配置される下面部と、上面部１１および下面部の側方に配置される側面部１３とを備え、上面部１１は、背面部と接合する側に形成された上端凹部１２を有し、該アクチュエータスピーカ１を壁面２に設置固定したとき、上面部１１と壁面２との間に位置する上端凹部１２が携帯端末を立て掛け収納するスリットとなることを特徴とする。【選択図】図１
2018019297.tif 000002
【特許請求の範囲】
【請求項１】
壁面を振動させて音声再生を行うアクチュエータと、
携帯端末から入力された音声データを用いて前記アクチュエータを稼働させるスピーカユニットと、
前記アクチュエータおよび前記スピーカユニットを覆う筐体と、
前記筐体を前記壁面に着脱可能に固定する固定手段と、
を備え、
前記筐体は、
フロントパネルと、
前記フロントパネルの背後に配置される背面部と、
前記フロントパネル上端と前記背面部上端との間に配置される上面部と、
前記フロントパネル下端と前記背面部下端との間に配置される下面部と、
前記上面部および下面部の側方に配置される側面部と、
を備え、
前記上面部は、
前記背面部と接合する側に形成された上端凹部を有し、
該アクチュエータスピーカを前記壁面に設置固定したとき、前記上面部と前記壁面との間に位置する前記上端凹部が前記携帯端末を立て掛け収納するスリットとなる、
ことを特徴とするアクチュエータスピーカ。
【請求項２】
前記上面部は、前記壁面に設置固定されたときの前記フロントパネルの水平方向が長手方向となる長形に形成され、
前記フロンパネルと前記背面部との間における前記上端凹部の奥行きは、
前記上面部の長手方向中央近傍では前記携帯端末の厚みよりも大きく形成され、
前記上面部の長手方向両端近傍では前記携帯端末の厚みよりも小さく形成されて前記スリットに収納された携帯端末の位置決めを行う、
ことを特徴とする請求項１に記載のアクチュエータスピーカ。
【請求項３】
前記上端凹部の、前記上面部の長手方向両端に形成された部位は、
該アクチュエータスピーカを前記壁面に設置固定したとき、前記スリットに侵入した水を外部へ排出する形状に形成されている、
ことを特徴とする請求項２に記載のアクチュエータスピーカ。
【請求項４】
前記筐体は、
前記背面部が前記フロンパネルよりも小さく、前記上面部、前記側面部および前記下面部が前記背面部と前記フロントパネルとの間でテーパー状に配置されている、
ことを特徴とする請求項１から３のいずれか１項に記載のアクチュエータスピーカ。
【請求項５】
前記筐体は、
前記アクチュエータおよび前記スピーカユニットの浸水を防ぐ防水構造を備える、
ことを特徴とする請求項１から４のいずれか１項に記載のアクチュエータスピーカ。
【発明の詳細な説明】
【技術分野】
【０００１】
本発明は、壁面などを振動させて音声再生を行うアクチュエータスピーカに関する。
【背景技術】
【０００２】
コーン紙などを備えることなく、音声等の再生を行うパネルスピーカ（アクチュエータスピーカ）が知られている。このスピーカは、音声信号等に応じて振動するアクチュエータをパネル材などに密着させて設置し、このパネル材を振動させて可聴音声を再生するように構成されている（例えば、特許文献１参照）。
【０００３】
図６は、従来のアクチュエータスピーカの一例の概略構成を示す説明図である。図６（ａ）は、アクチュエータスピーカ１００の裏面側、即ち、壁などのパネル材に取り付け固定する裏面側の構成を示し、図６（ｂ）は、アクチュエータスピーカ１００を、例えば浴室のドアなどのパネル面２００に固定した状態を例示している。
ここで例示したアクチュエータスピーカ１００は、スピーカ本体１０１の中央部分の裏面側にアクチュエータ１０２を配置している。
【０００４】
アクチュエータスピーカ１００は、スピーカ本体１０１の裏面において、アクチュエータ１０２の周囲となる部位に両面テープ１０３が貼り付けられており、当該両面テープ１０３の接着力によってパネル面２００に固定されている。
また、アクチュエータスピーカ１００は、当該アクチュエータスピーカ１００から離れた位置にある図示を省略したオーディオ装置等と接続する接続コード１０４を備えており、当該接続コード１０４はスピーカ本体１０１内部において、アクチュエータ１０２と配線接続されている。なお、アクチュエータスピーカ１００は、十分な防水構造を備えていない場合、例えば、上記の浴室ドアの室外側に設置される。
【先行技術文献】
【特許文献】
【０００５】
【特許文献１】特開２０１３−１０２４０８号公報
【発明の概要】
【発明が解決しようとする課題】
【０００６】
前述のように従来のアクチュエータスピーカは、接続コードを使用して外部のオーディオ装置等から音声信号を入力しており、アクチュエータスピーカから離れた場所に上記のオーディオ装置等を配置して使用することが一般的である。特に、上記のオーディオ装置がスマートフォンなどの携帯端末である場合には、この携帯端末とアクチュエータスピーカを使用者の近くに配置して使用することが配慮されていないため、利便性が損なわれていた。
また、アクチュエータスピーカに防水構造を採用し、例えば浴室内に設置する場合には、壁などを伝ってきた水滴や跳ね水などが、当該アクチュエータスピーカの筐体上面部分に溜ることが頻繁に生じる。このように水滴などが同一箇所に長時間留まると、水道水等に含まれている物質や、浴室内で使用された洗剤などによって、当該アクチュエータスピーカの筐体等が劣化し、特に筐体等を構成する外装部材の接合部分などにおいて劣化が進行する。そのため、防水効果が弱まって内部に備えた電子回路等の故障を引き起こす場合があり、跳ね水などが頻繁にかかる浴室内に設置して使用することが難しくなるという問題点があった。
【０００７】
本発明は、上記実情に鑑み提案されたもので、音声信号を出力する携帯端末等の装置を収納することができ、また、水滴が容易に流れ落ちて防水機能を十分に確保し、例えば浴室内に着脱可能に設置することが可能なアクチュエータスピーカを提供することを目的とする。
【課題を解決するための手段】
【０００８】
この発明に係るアクチュエータスピーカは、壁面を振動させて音声再生を行うアクチュエータと、携帯端末から入力された音声データを用いて前記アクチュエータを稼働させるスピーカユニットと、前記アクチュエータおよび前記スピーカユニットを覆う筐体と、前記筐体を前記壁面に着脱可能に固定する固定手段とを備え、前記筐体は、フロントパネルと前記フロントパネルの背後に配置される背面部と、前記フロントパネル上端と前記背面部上端との間に配置される上面部と、前記フロントパネル下端と前記背面部下端との間に配置される下面部と、前記上面部および下面部の側方に配置される側面部とを備え、前記上面部は、前記背面部と接合する側に形成された上端凹部を有し、該アクチュエータスピーカを前記壁面に固定したとき、前記上面部と前記壁面との間に位置する前記上端凹部が前記携帯端末を立て掛け収納するスリットとなることを特徴とする。
【０００９】
また、前記上面部は、前記壁面に固定されたときの前記フロントパネルの水平方向が長手方向となる長形に形成され、前記フロンパネルと前記背面部との間における前記上端凹部の奥行きは、前記上面部の長手方向中央近傍では前記携帯端末の厚みよりも大きく形成され、前記上面部の長手方向両端近傍では前記携帯端末の厚みよりも小さく形成されて前記スリットに収納された携帯端末の位置決めを行うことを特徴とする。
【００１０】
また、前記上端凹部の、前記上面部の長手方向両端に形成された部位は、該アクチュエータスピーカを前記壁面に設置固定したとき、前記スリットに侵入した水を外部へ排出する形状に形成されていることを特徴とする。
【００１１】
また、前記筐体は、前記背面部が前記フロンパネルよりも小さく、前記上面部、前記側面部および前記下面部が前記背面部と前記フロントパネルとの間でテーパー状に配置されていることを特徴とする。
【００１２】
また、前記筐体は、前記アクチュエータおよび前記スピーカユニットの浸水を防ぐ防水構造を備えることを特徴とする。
【発明の効果】
【００１３】
この発明によれば、音声信号を出力する携帯端末を収納することができ、また、外装に付着した水滴等を有効に落水させて十分な防水機能を確保し、例えば浴室内に設置して使用することが可能になる。
【図面の簡単な説明】
【００１４】
【図１】本発明の実施例によるアクチュエータスピーカの斜視図である。
【図２】図１のアクチュエータスピーカの背後側を示す斜視図である。
【図３】図１のアクチュエータスピーカを上方視したときの形状を示す説明図である。
【図４】図１のアクチュエータスピーカの側面部の形状を示す説明図である。
【図５】図１のアクチュエータスピーカの概略構成を示す説明図である。
【図６】従来のアクチュエータスピーカの概略構成を示す説明図である。
【発明を実施するための形態】
【００１５】
以下、この発明の実施の一形態を説明する。
［実施例］
図１は、本発明の実施例によるアクチュエータスピーカ１の斜視図である。この図は、浴室など室内の壁面２にアクチュエータスピーカ１を取り付け固定し、これに例えばスマートフォンなどの携帯端末５を収納した状態を示している。
アクチュエータスピーカ１は、正面にフロントパネル１０、フロントパネル１０の上端と接する上面部１１、フロントパネル１０の両側方に配置される側面部１３を備えた概略直方体に形成されている。
フロントパネル１０は、平坦に形成された表面を有し、例えば、壁面２に設置された状態において水平方向が長手方向となり、上記表面の図中右側下端に、電源のオンオフ、音量調整、音声の再生、停止、曲送りなどを行う複数の（例えば６個の）パネルスイッチ１４と、後述するスピーカユニット３０の動作状況などを示す（例えば２個の）インジケータ１５が設置されている。
上面部１１は、壁面２に設置固定された状態において、フロントパネル１０の水平方向が長手方向となる長形に形成されている。
【００１６】
また、アクチュエータスピーカ１は、上面部１１の背後側、即ち後端部分に上端凹部１２を有しており、当該アクチュエータスピーカ１を壁面２に取り付け固定したとき、上面部１１と壁面２との間に位置する上端凹部１２がスリットとなるように構成されている。なお、上記のスリットは、オーディオ装置として動作可能な例えばスマートフォンなどの携帯端末を横置きに収納することができる大きさ、形状をしており、壁面２またはフロントパネル１０の表面と平行に、換言すると、上面部１１の表面に対して概ね鉛直方向に深さを有している。
【００１７】
図２は、図１のアクチュエータスピーカ１の背後側を示す斜視図である。
アクチュエータスピーカ１は、フロンパネル１０の背後側に背面部１６を有し、背面部１６は、その上端部分がフロントパネル１０の上端部よりも低くなるように形成されている。換言すると、前述のように上面部１１の後端に上端凹部１２が形成されており、背面部１６の上端部分が上面部１１よりも一段低くなるように構成されている。なお、背面部１６には、後述する固定手段４１を備えている。
【００１８】
図３は、図１のアクチュエータスピーカ１を上方視したときの形状を示す説明図である。この図は、アクチュエータスピーカ１の上面部１１ならびに上端凹部１２の形状を示している。
上端凹部１２は、アクチュエータスピーカ１の長手方向において、一の側面部１３から他の側面部１３まで延設されており、当該アクチュエータスピーカ１、もしくは上面部１１の長手方向の中央部１２ａにおいて、当該上面部１１と壁面２との間に形成されるスリットの幅が大きくなり、側面部１３の近傍となる側端部１２ｂにおいて幅が狭まるように形成されている。
【００１９】
アクチュエータスピーカ１を壁面２に設置固定したとき、上端凹部１２の位置に形成されるスリットは、例えば、前述のようにオーディオ機能を備え、また、防水構造を採用したスマートフォンなどの携帯端末を立て掛け収納することができる形状、大きさを有する。
上記のようなスリットが形成されるように、上面部１１の、背面部１６と接合する側に形成される上端凹部１２は、フロントパネル１０と背面部１６との間における奥行き（フロントパネル１０と接する上端凹部１２前端から、背面部１６と接する上端凹部１２後端までの距離）、即ち、上面部１１の短手方向における寸法が、上面部１１の長手方向中央近傍（前述の中央部１２ａ）においては、上記の携帯端末の厚みよりも大きく形成され、上面部１１の長手方向両端近傍（前述の側端部１２ｂ）においては、上記の携帯端末の厚みよりも小さく形成されている。
【００２０】
また、上端凹部１２の両側端には、アクチュエータスピーカ１を壁面２に設置固定した状態において、上端凹部１２（スリット）に侵入した水滴等を、スリット外部へ排出するように形成された排水用凹部１７が設けられている。
具体的には、例えば、上端凹部１２は、スリットの概ね底部分となる当該上端凹部１２の中央部分などの高さよりも、上端凹部１２の両側端、即ち、上面部１１の長手方向両端に配置される排水用凹部１７の高さを低く形成している。なお、図３等に例示した排水用凹部１７は、前述の側端部１２ｂよりも狭く（上面部１１の短手方向の寸法を小さく）形成して側面部１３へ達するように設けている。
【００２１】
図４は、図１のアクチュエータスピーカ１の側面部１３の形状を示す説明図である。側面部１３を正面視したとき、フロントパネル１０の高さ方向寸法は、背面部１６の高さ方向寸法よりも大きく構成されており、上面部１１はフロントパネル１０側から背面部１６側へ向かって下降するように傾斜している。また、下面部２１はフロントパネル１０側から背面部１６側へ向かって上昇するように傾斜している。
上記のように傾斜した上面部１１の奥側、即ち、背面部１６側には、前述のように上端凹部１２が形成されており、アクチュエータスピーカ１を側方視したとき、上端凹部１２は、上面部１１の、フロントパネル１０側の面高さから急峻に低くなって段差を形成している。上記のように急峻に低くなっている上端凹部１２の後端には、背面部１６の上端が接している。
上記の上面部１１のフロントパネル１０側の面高さと、上端凹部１２の高さの差、即ち上端凹部１２の深さは、当該アクチュエータスピーカ１を壁面２に設置固定したときに形成されるスリットの深さとなり、このスリット内に収納する携帯端末５等を立て掛け支持することができる寸法を有する。
【００２２】
アクチュエータスピーカ１の両側方に配置される側面部１３についても、前述の上面部１１および下面部２１と同様に、フロントパネル１０側から背面部１６へ向かって狭くなる（壁面２に設置固定した状態において高さ方向の寸法が小さくなる）ように形成されている。換言すると、側面部１３は、側方視したとき、フロントパネル１０側から背面部１６へ向かって小さくなるテーパー状に形成されている。
背面部１６の表面には、アクチュエータスピーカ１を壁面２に固定する固定手段４１として、例えばマグネットシートが当該背面部１６表面全体に貼り付け固定されている。固定手段４１として使用するマグネットシートは、壁面２表面と密着するように滑らかに表面が形成されており、壁面２に設置した当該アクチュエータスピーカ１を支持固定する磁力を有している。また、上記のマグネットシートは、アクチュエータ３４，３５の振動部位が、当該マグネットシート４１および背面部１６を介して壁面２と密着したとき、例えば、アクチュエータ３４，３５と壁面２との間に空気層などが生じないように、（細かな凹凸のない）均一な厚みに形成されている。
また、上記のマグネットシートは、アクチュエータ３４，３５が発生した振動を適確に伝達する剛性を備えており、好ましくは、アクチュエータ３４，３５の振動部位を壁面２に直接接触（密着）させた場合と同様に、上記振動を伝達するように構成されたものである。
【００２３】
ここで、アクチュエータスピーカ１は、フロントパネル１０の背後に配置される背面部１６、フロントパネル１０上端と背面部１６上端との間に配置される上面部１１、フロントパネル１０下端と背面部１６下端との間に配置される下面部２１、上面部１０および下面部２１の側方に配置される側面部１３によって構成される筐体本体３を備えている。なお、アクチュエータスピーカ１の筐体は、上記の筐体本体３とフロントパネル１０によって構成される。
筐体本体３は、背面部１６の前方に向かって開口しており、フロントパネル１０と接する側の、上面部１１、２つの側面部１３、下面部２１の各縁端が筐体本体３開口部を構成している。また、筐体本体３は、前述のようにテーパー状に形成された上面部１１、下面部２１、側面部１３を背面部１６の周縁に配置し、筐体本体３開口部から背面部１６へ向かって狭まくなるテーパー状に構成されている。
換言すると、筐体本体３は、前述のようにテーパー状に形成された上面部１１、下面部２１、側面部１３を、フロントパネル１０と、フロントパネル１０よりも小さな背面部１６との間において、テーパー状に配置して構成されている。
また、筐体本体３は、後述するアクチュエータ３４,３５、スピーカユニット３０等を内部に固定するように構成されており、後述するように、内部のアクチュエータ３４，３５、スピーカユニット３０等が水に浸ることを防ぐ防水構造を備えている。
なお、アクチュエータ３４，３５を設置固定している背面部１６、もしくは筐体本体３等についても、アクチュエータ３４，３５が発生した振動を適確に伝達する剛性を備えた、例えば樹脂などの素材によって構成されている。
【００２４】
図５は、図１のアクチュエータスピーカ１の概略構成を示す説明図である。図５（ａ）等に示したスピーカユニット３０は、アクチュエータスピーカ１の内部に備えられるスピーカユニットの一例を示すもので、２つのアクチュエータ３４、３５を各々駆動して２つのチャンネル音声を出力するステレオ回路を備えて構成されている。
図５（ａ）は、筐体本体３開口部側からスピーカユニット３０などを視た場合の概略構成を示し、図５（ｂ）は、例えば、下面部２１側からアクチュエータスピーカ１を視た場合の概略構成を示している。
【００２５】
スピーカユニット３０は、図示されない配線パターン等が形成された基板３１を備え、当該基板３１に各回路素子を実装し、これらを上記のパターン等によって接続して音声信号の増幅回路や、無線通信回路などを構成させている。また、スピーカユニット３０は、上記の各回路を動作させる電源として、例えばリチウム２次電池等のバッテリ３２を搭載している。なお、基板３１には、上記の無線通信回路として通信ユニット３３を搭載している。通信ユニット３３は、例えばBluetooth（登録商標）による近距離無線通信を行うユニット、もしくはデバイスであり、前述のオーディオ機能を備えた携帯端末５などから高周波無線通信によって音声信号（オーディオ信号）を受信するように構成されている。
【００２６】
スピーカユニット３０は、アクチュエータスピーカ１の筐体内部に収納固定されており、背面部１６の裏側となる、筐体本体３内部の背面にアクチュエータ３４，３５を直接取り付け固定している。
フロントパネル１０は、例えば、図５（ｃ）に示したインナーパネル４０と、図５（ｄ）に示した化粧パネル５０によって構成され、インナーパネル４０の前面に化粧パネル５０が取り付け固定されている。また、インナーパネル４０は、前述の筐体本体３の開口部に接合固定するように構成されている。
インナーパネル４０と筐体本体３開口部との接合部分には、前述の防水構造６０を備えている。防水構造６０は、例えば、防水パッキンを保持する、または防水パッキンと当接する形状の部位を、インナーパネル４０の周縁ならびに筐体本体３開口部の周縁に設けておき、この部位に防水パッキンを設置し、当該防水パッキンに適当な押圧等を加えながらインナーパネル４０と筐体本体３とを接合したものである。このインナーパネル４０と筐体本体３開口部の接合部分に挟み込んだ防水パッキンは、弾力等によってインナーパネル４０と筐体本体３との間を密封し、水滴などがアクチュエータスピーカ１の筐体内部に侵入することを防止する。
アクチュエータ３４，３５は、アクチュエータスピーカ１を正面視したとき、前述の上端凹部１２の下方となるように、背面部１６の裏側に設置されており、アクチュエータスピーカ１を壁面２に取り付け固定したときには、背面部１６ならびに固定手段４１を介して壁面２に密着する。
【００２７】
スピーカユニット３０は、アクチュエータスピーカ１の筐体内部、例えば、インナーパネル４０の内面側に設けられたスペーサ等に基板３１が固定されている。このインナーパネル４０は、例えばフロントパネル１０表面に配置されたパネルスイッチ１４と基板３１に実装されたスイッチ部品等とを接続する部材等を備え、また、インジケータ１５として発光する、例えば基板３１に実装されたＬＥＤの発光が、アクチュエータスピーカ１の外部から視認できるように構成されている。
【００２８】
上記のように構成されたアクチュエータスピーカ１を、例えば浴室内の壁面２に設置固定し、音声再生を行うときには、携帯端末５等のオーディオ装置を操作して、例えばBluetooth（登録商標）等の無線通信機能を用いて音声データをスピーカユニット３０へ送信させ、当該携帯端末５等を上面部１１と壁面２との間に形成されたスリット（上端凹部１２の設置位置）に収納する。例えば、フロントパネル１０の電源スイッチを、オン状態にされたアクチュエータスピーカ１は、スピーカユニット３０の通信ユニット３３が動作し、上記の音声データを受信する。音声データを受信したスピーカユニット３０は、増幅回路等を動作させてアクチュエータ２４ならびにアクチュエータ３５を各々駆動して壁面２等を振動させ、可聴音声を再生する。
【００２９】
以上のように本実施例のアクチュエータスピーカ１によれば、上面部１１に上端凹部１２を設け、壁面２と上面部１１との間にスリットが形成されるように構成したので、音声データを記録している携帯端末５を収納することができ、携帯端末５を当該スリットに収納した状態でアクチュエータ３４、３５を用いて音声を再生することができる。
また、壁面２からアクチュエータスピーカ１を取り外すときには、上記のスリットに手などを差し込み、容易にアクチュエータスピーカ１を壁面２から引き離すことができる。
また、２つのアクチュエータ３４，３５を使用してステレオ音声を再生するときには、上端凹部１２もしくはスリットがアクチュエータスピーカ１の上側に配置されることから、壁面２にアクチュエータスピーカ１の上下を間違えることなく壁面２に設置固定することができ、ステレオ音声の左右チャンネルを逆に出力再生することを防いで、壁面２等の振動によって生じる音声の音質を良好にすることができる。
【００３０】
また、上端凹部１２の奥行き寸法を、中央部１２ａで大きく、側端部１２ｂで小さくして当該上端凹部１２を形成したので、アクチュエータスピーカ１を壁面２に設置固定したときに生じるスリットは、当該スリットの長手方向中央で開口幅が大きくなり、長手方向両端で開口幅が小さくなるように形成され、上記のスリットに収納した携帯端末５が側端部１２ｂ等に当接して位置決めが行われ、また、スリットから携帯端末５が落下することを防ぐことができる。
また、上端凹部１２の両側端に排水用凹部１７を設けたので、上記のスリットに水滴が頻繁に侵入する場所にアクチュエータスピーカ１を設置した場合でも、当該スリット内に水などを溜めることなく排出することができ、防水効果を高めることができる。
また、フロントパネル１０と背面部１６との間に設けられた上面部１１、下面部２１、側面部１３をテーパー状に配置したので、壁面２に設置固定されたアクチュエータスピーカ１の奥側まで指を掛けることが容易になり、当該アクチュエータスピーカ１を手前に引き寄せて壁面２から容易に取り外すことができる。
【００３１】
以上、本発明に係るアクチュエータスピーカを浴室の壁面に用いる場合について説明したが、このアクチュエータスピーカは、例えばシステムキッチン、冷蔵庫、洗濯機等、様々なものを壁面として利用することができる。そして、携帯端末にダウンロードした音楽や動画を家事等の傍ら高音質で気軽に楽しむことが可能になる。
【符号の説明】
【００３２】
１アクチュエータスピーカ
２壁面
３筐体本体
５携帯端末
１０フロントパネル
１１上面部
１２上端凹部
１３側面部
１４パネルスイッチ
１５インジケータ
１６背面部
１７排水用凹部
２１下面部
３０スピーカユニット
３１基板
３２バッテリ
３３通信ユニット
３４，３５アクチュエータ
４０インナーパネル
４１固定手段
５０化粧パネル
６０防水構造
１００アクチュエータスピーカ
１０１スピーカ本体
１０２アクチュエータ
１０３両面テープ
１０４接続コード
２００パネル面
【図１】
2018019297.tif 000003
【図２】
2018019297.tif 000004
【図３】
2018019297.tif 000005
【図４】
2018019297.tif 000006
【図５】
2018019297.tif 000007
【図６】
2018019297.tif 000008